(57)【要約】【課題】さらなる小型化や低コスト化を図ることが可能な光ピックアップ装置を実現するために、原点スイッチなどのセンサ類を用いずに、光ピックアップ装置に具備する光束変更用の可動レンズの正常な動作を判定可能とし、当該レンズの評価を正当に行うことを可能とする光ピックアップ装置の評価方法を提供する。【解決手段】光束変更用の可動レンズ（コリメートレンズ４）を移動させて得られるＦＥ信号の変化から、当該可動レンズが正常に駆動されているか否かを判別する光ピックアップ装置１の評価方法とした。【選択図】図１
2012164394.tif 000002
【特許請求の範囲】
【請求項１】
レーザーダイオードと対物レンズとの間の光路内に設ける光束変更用の可動レンズを光軸方向に移動させて球面収差を補正し、光ディスクにレーザー光を照射してデータの記録又は再生を行う光ピックアップ装置の評価方法であって、
前記可動レンズを移動させて得られるＦＥ信号の変化から、当該可動レンズが正常に駆動されているか否かを判別することを特徴とする光ピックアップ装置の評価方法。
【請求項２】
前記可動レンズを、光ディスクから離れた最遠位置に復帰させる復帰工程を介して移動させた第一位置と、この第一位置から前記光ディスクに近接する方向に所定距離移動させた第二位置と、さらに所定距離近接させた第三位置とで、それぞれＦＥ信号を検知し、検知されたＦＥ信号のＳ字波形を計測し、計測された三つのＳ字波形が連続的に変化しているか否かを確認し、連続的に変化していることを確認したときに、前記可動レンズが正常に駆動されていると判定することを特徴とする請求項１に記載の光ピックアップ装置の評価方法。
【請求項３】
前記第一位置と前記第三位置との間に第一の焦点部位に対応した停止位置を有することを特徴とする請求項２に記載の光ピックアップ装置の評価方法。
【請求項４】
前記第二位置は第一の焦点部位に相当する停止位置であることを特徴とする請求項２または３に記載の光ピックアップ装置の評価方法。
【請求項５】
前記所定距離は前記第一位置から前記第一の焦点部位に相当する停止位置までの距離であって、前記第三位置は、同じ所定距離前記第二位置から離れていることを特徴とする請求項４に記載の光ピックアップ装置の評価方法。
【請求項６】
前記可動レンズが、コリメートレンズであることを特徴とする請求項１から５のいずれかに記載の光ピックアップ装置の評価方法。
【発明の詳細な説明】
【技術分野】
【０００１】
本発明は、光ディスクにレーザー光を照射してデータの記録又は再生を行う光ピックアップ装置の評価方法に関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクにおいては、使用するレーザー光の波長、記録層までの透明層の深さなどが異なることから、１個もしくは複数の対物レンズを用いて複数種類の光ディスクに対応させている。
【０００３】
また、光ディスクにレーザー光を照射してデータの記録又は再生を行う光ピックアップ装置が用いられている。光ピックアップ装置は、レーザー光を光ディスクの信号記録層にスポットとして集光させる対物レンズを備えている。
【０００４】
そのために、対物レンズを通して、光ディスクの記録層に光源からの光ビームを集光させるフォーカスサーボ制御や、光ディスクの微細なトラックピッチに追従走査させるトラッキングサーボ制御を行う。
【０００５】
また、所定の記録層にビーム光の焦点を合致させるために、アクチュエータで対物レンズをフォーカス方向に移動させて、光源から発射して対物レンズから出射したビーム光の焦点をフォーカス方向に移動させながら、光ディスクからの反射光より得られるフォーカスエラー信号（ＦＥ信号）を観測して、ビーム光の焦点が光ディスクの記録層に合致する位置を検出するフォーカスサーチを行う。
【０００６】
また、異なる記録層にビーム光の焦点を合致させるフォーカスサーボ中には、ビーム光の焦点が光ディスクの表面と記録層とを通過する際にＦＥ信号に現れるＳ字波形がそれぞれ検出される。そして、光ディスクの記録層に対応するＳ字波形に基づいて、ビーム光の焦点が記録層に合致する位置が検出される。また、光ディスクの表面と記録層に対応する各Ｓ字波形の検出時間差に基づいて、光ディスクの基板厚みや保護層厚みや記録層数を検出することが行われている。
【０００７】
また、対物レンズに入射する光束の収束発散状態を変更する光束変更手段（コリメートレンズやエキスパンダーレンズなどの可動レンズ）を光軸方向に移動して、これらのレンズを通過するレーザー光の収束発散状態を調整して球面収差の補正を行う球面収差補正機構も知られている。また、記録層が複数積層されている多層光ディスクにおいては、記録層間の距離により球面収差が発生するので、一般に各記録層にサーボをかける場合には、それぞれの面に最適な球面収差補正を行う。
【０００８】
そのために、例えば、コリメートレンズを原点位置から所定の位置に移動して所定の記録層に対応した球面収差補正を行った後、対物レンズをフォーカス方向に移動させ、ＦＥ信号のＳ字波形の出現数を数えて目的の記録層にフォーカスサーボすることが行われている。しかし、光ディスクに面ぶれがある場合には、各ＦＥ信号の検出位置の前後で同じＳ字波形が複数検出されることがある。
【０００９】
このような状態では、ＦＥ信号の波形から通過した記録層の数を推測することは困難となるので、例えば、コリメートレンズの位置を切り替えながらトラッキングエラー信号の振幅の有無を調べることで、現在のフォーカスサーボしている記録層を特定するとした光ディスク装置が既に提案されている（例えば、特許文献１参照）。
【００１０】
また、本出願人から、光ディスクの表面と記録層に対応するＦＥ信号のＳ字波形を検出してビーム光の合焦位置を検出し、対物レンズと光ディスクの衝突を防止するとした光ピックアップ装置が既に提案されている（例えば、特許文献２参照）。
【先行技術文献】
【特許文献】
【００１１】
【特許文献１】特開２００８−４１１８６号公報
【特許文献２】特開２００８−１８１６１３号公報
【発明の概要】
【発明が解決しようとする課題】
【００１２】
所定の記録層に対応した球面収差補正を行うためには、例えば、コリメートレンズを所定位置に移動させることが肝要である。また、そのためには、コリメートレンズの原点位置を予め定めておく必要があるので、従来の光ピックアップ装置においては、コリメートレンズ駆動用の原点スイッチが設けられている。
【００１３】
しかし、光ピックアップ装置のさらなる小型化や低コスト化を図るためには、この原点スイッチのような部品は可能な限り削減することが求められる。さらに、原点スイッチを備えていなくても、コリメートレンズなどの可動レンズが正常に駆動されていることを確認できることが求められる。
【００１４】
そのためには、その他の必須の装備品を利用してコリメートレンズなどの可動レンズが正常に駆動されていることを判定可能であることが好ましい。
【００１５】
本発明は、上記問題点に鑑み、さらなる小型化や低コスト化を図ることが可能な光ピックアップ装置を実現するために、原点スイッチなどのセンサ類を用いずに、光ピックアップ装置に具備する可動レンズの正常な動作を判定可能とし、当該レンズの評価を正当に行うことを可能とする光ピックアップ装置の評価方法を提供することを目的とする。
【課題を解決するための手段】
【００１６】
上記目的を達成するために本発明は、レーザーダイオードと対物レンズとの間の光路内に設ける光束変更用の可動レンズを光軸方向に移動させて球面収差を補正し、光ディスクにレーザー光を照射してデータの記録又は再生を行う光ピックアップ装置の評価方法であって、前記可動レンズを移動させて得られるＦＥ信号の変化から、当該可動レンズが正常に駆動されているか否かを判別することを特徴としている。
【００１７】
この構成によると、可動レンズを移動させて得られるＦＥ信号の変化から、この可動レンズが正規に駆動されているか否かを判別するので、可動レンズの位置を確認するセンサ類を用いなくても、可動レンズが正常に動作していることを確認可能で、当該レンズおよび当該レンズを備える光ピックアップ装置の評価を正当に行うことができる。
【００１８】
また本発明は、上記構成の光ピックアップ装置の評価方法において、前記可動レンズを、光ディスクから離れた最遠位置に復帰させる復帰工程を介して移動させた第一位置と、この第一位置から前記光ディスクに近接する方向に所定距離移動させた第二位置と、さらに所定距離近接させた第三位置とで、それぞれＦＥ信号を検知し、検知されたＦＥ信号のＳ字波形を計測し、計測された三つのＳ字波形が連続的に変化しているか否かを確認し、連続的に変化していることを確認したときに、前記可動レンズが正常に駆動されていると判定することを特徴としている。この構成によると、予め所定の第一位置に復帰させる復帰工程を備えているので、可動レンズの待機位置を確認することが不要となって、可動レンズの原点位置を確認する原点スイッチが不要となる。そのために、光ピックアップ装置のさらなる小型化や低コスト化を図ることが可能となる。また、光ディスクに近接させながらＦＥ信号を検知し、得られた三地点で計測される三つのＳ字波形が連続的に変化していることを確認して光束変更用の可動レンズが正常に駆動していると判定するので、可動レンズの駆動を正しく判定可能な光ピックアップ装置の評価方法となる。
【００１９】
また本発明は、上記構成の光ピックアップ装置の評価方法において、前記第一位置と前記第三位置との間に第一の焦点部位に対応した停止位置を有することを特徴としている。この構成によると、可動レンズの第一の焦点部位に対応した所定の停止位置に対して後方に位置する第一位置と、所定の停止位置に対して前方に位置する第三位置と、この中間の第二位置とでＦＥ信号を検知してＳ字波形を計測するので、可動レンズの移動に連れて連続的に変化するＳ字波形を確実に計測可能となる。
【００２０】
また本発明は、上記構成の光ピックアップ装置の評価方法において、前記第二位置は第一の焦点部位に相当する停止位置であることを特徴としている。この構成によると、予め定められる第一の焦点部位に対応した停止位置を第二位置に設定し、ここを基準点として第二位置と第三位置を容易に設定可能となる。
【００２１】
また本発明は、上記構成の光ピックアップ装置の評価方法において、前記所定距離は前記第一位置から前記第一の焦点部位に相当する停止位置までの距離であって、前記第三位置は、同じ所定距離前記第二位置から離れていることを特徴としている。この構成によると、光ピックアップ装置を駆動するステッピングモータの駆動パルスを、第一位置から第二位置に至るパルス数の２倍のパルス数の位置を第三位置となって、ＦＥ信号を検知する位置を容易に設定することができる。
【００２２】
また本発明は、上記構成の光ピックアップ装置の評価方法において、前記可動レンズが、コリメートレンズであることを特徴としている。この構成によると、コリメートレンズの位置を確認する原点スイッチなどのセンサ類を用いずに、コリメートレンズが正常に駆動されていることを判定可能な光ピックアップ装置の評価方法となる。
【発明の効果】
【００２３】
本発明によれば、原点スイッチなどのセンサ類を用いずに、光ピックアップ装置に具備する光束変更用の可動レンズの正常な動作を判定可能とし、当該レンズの評価を正当に行うことを可能とする光ピックアップ装置の評価方法を得ることができる。そのために、さらなる小型化や低コスト化を図ることが可能な光ピックアップ装置を作製可能となる。
【図面の簡単な説明】
【００２４】
【図１】本発明に係る光ピックアップ装置の一例の構成を示す概略説明図である。
【図２】本発明に係る光ピックアップ装置の評価方法の概要を示す説明図である。
【図３】本発明に係る光ピックアップ装置の評価方法の操作手順を示すフローチャートである。
【発明を実施するための形態】
【００２５】
以下に本発明の実施形態を図面を参照して説明する。また、同一構成部材については同一の符号を用い、詳細な説明は適宜省略する。まず、図１を用いて、光ピックアップ装置の一例について説明する。
【００２６】
本実施形態の光ピックアップ装置１は、光ディスク２０にレーザー光を照射してデータの記録又は再生を行う装置であって、例えば、図１に示すように、光源となるレーザーダイオード２と、偏光ビームスプリッタ３と、コリメートレンズ４と、立ち上げミラー５と、１／４波長板６と、対物レンズ７と、シリンドリカルレンズ８と、光検出器９とを備えていて、対物レンズ７を用いてレーザー光を光ディスク２０の記録層２０ａに集光させている。
【００２７】
レーザーダイオード２は、所定波長のレーザー光を出射する半導体レーザーであって、光ディスク２０に対応して選択される。また、一種類の光ディスク２０に対応した一つのレーザーダイオード２を備えた光ピックアップ装置１として図示しているが、複数種類の光ディスク２０に対応した複数のレーザーダイオード２を備えた光ピックアップ装置であってもよい。
【００２８】
偏光ビームスプリッタ３は、偏光方向が互いに直交する二つの直線偏光の一方を透過させ、他方の直線偏光を反射させる機能を有し、レーザーダイオード２が出射するレーザー光を透過し、光ディスク２０が反射したレーザー光を光検出器９に向けて反射する。光検出器９は、受光したレーザー光が有する光情報を電気信号に変換する。
【００２９】
コリメートレンズ４は、入射するレーザー光を平行光に変換する機能を有する。また、対物レンズ７に入射する光束の収束発散状態を変更する光束変更用の可動レンズでもあって、このコリメートレンズ４を光軸方向（矢印Ｄ１方向）に移動する駆動モータ（例えば、ステッピングモータ１０）を備えて、コリメートレンズ４を通過するレーザー光の収束発散状態を調整可能とする球面収差補正機構１１を構成している。
【００３０】
立ち上げミラー５は、コリメートレンズ４から送られるレーザー光を光ディスク２０に向けて反射する。また、１／４波長板６は、直線偏光を円偏光に変換し、円偏光を直線偏光に変換する機能を有し、立ち上げミラー５が反射した直線偏光のレーザー光を円偏光に変換して対物レンズ７に入射し、光ディスク２０から反射される円偏光のレーザー光を直線偏光に変換して、立ち上げミラー５からコリメートレンズ４に入射させる。
【００３１】
対物レンズ７は、レーザー光を集光して光ディスク２０の記録層２０ａに照射し、記録層２０ａから反射されたレーザー光を受光して１／４波長板６に入射させる。
【００３２】
この対物レンズ７は、レーザー光を光ディスク２０の記録層２０ａにスポットとして集光させる機能を有するが、ガラスレンズと比較して軽量であり、また大量生産が可能でコストが安いプラスチックレンズを使用することが好ましい。
【００３３】
また、例えば、対物レンズ７と１／４波長板６とを共にアクチュエータ１２に搭載して、フォーカス方向とトラッキング方向に移動可能としている。
【００３４】
シリンドリカルレンズ８は、光ディスク２０の記録層２０ａから反射されたレーザー光に非点収差を与える機能を有し、この非点収差をフォーカスエラー検出に用いることができる。
【００３５】
光検出器９から出力される電気信号は、信号処理部１３に送られる。信号処理部１３は、光検出器９から受け取った電気信号を処理して、ＲＦ信号、フォーカスエラー信号（ＦＥ信号）、トラッキングエラー信号（ＴＥ信号）等を生成する。なお、ＲＦ信号によって情報の読み出しが行われ、ＦＥ信号、ＴＥ信号に基づいてフォーカシング制御やトラッキング制御が行われる。
【００３６】
制御部１４は、光ピックアップ装置１の動作全体を制御する機能を有する。例えば、レーザーダイオード駆動回路１５の制御や、球面収差補正機構１１の制御や、前述したアクチュエータ１２の制御などを行う。
【００３７】
また、レーザーダイオード駆動回路１５を備えた基板上にサーミスタ１６を配設して、このサーミスタ１６からの温度情報からレーザーダイオード２の光出力を制御する。さらに、サーミスタ１６の温度情報から対物レンズ７の温度を認識して、得られた温度に応じて対物レンズ７の温度特性を補正する制御を行う。
【００３８】
光ディスク２０に記録されている信号の読み出し動作や信号の記録動作を行うためには、レーザー光の照射によって生成されるスポットの形状を良好な状態にする必要がある。また、スポットの形状に悪影響を与えるものとして球面収差、非点収差及びコマ収差等の収差があり、これらの収差による影響を無くするために所望される任意の形状に成型容易なプラスチックレンズを用いることが好ましい。
【００３９】
また、所定の記録層にビーム光の焦点を合致させるために、アクチュエータ１２を介して対物レンズ７をフォーカス方向に移動させて、光源から発射して対物レンズ７から出射したビーム光の焦点をフォーカス方向に移動させながら、光ディスク２０からの反射光より得られるＦＥ信号を観測して、ビーム光の焦点が光ディスク２０の記録層２０ａに合致する位置を検出するフォーカスサーチを行う。
【００４０】
また、記録層２０ａが複数積層されている多層光ディスクにおいては、記録層間の距離により球面収差が発生するので、一般に各記録層にサーボをかける場合には、それぞれの面に最適な球面収差補正を行う。すなわち、光束変更用の可動レンズであるコリメートレンズ４を所定の位置に移動して所定の記録層に対応した球面収差補正を行う。
【００４１】
所定の球面収差補正を行った後、すなわち、コリメートレンズ４を所定の位置に移動した後、対物レンズ７をフォーカス方向に移動させ、ＦＥ信号のＳ字波形の出現数を数えて目的の記録層にフォーカスサーボする。
【００４２】
そのために、光ピックアップ装置１に設置するコリメートレンズ４などの可動レンズの位置は予め定める所定の位置であることが求められる。このために、従来では、コリメートレンズ４の原点位置を確認する原点スイッチなどのセンサ類を装着している。
【００４３】
しかし、光ピックアップ装置１のさらなる小型化や低コスト化を図るためには、この原点スイッチのような部品は可能な限り削減することが好ましい。そのために、本実施形態では、コリメートレンズ４の原点位置を確認するための原点スイッチを設けない構成であっても、コリメートレンズ４を正常に駆動することを可能とし、コリメートレンズ４が正常に駆動されていることを確認できる評価方法としている。
【００４４】
次に、この光ピックアップ装置の評価方法について図２を用いて説明する。
【００４５】
図２に示すように本実施形態では、コリメートレンズ４を、光ディスクから離れた最遠位置にある第一位置４Ａと、この第一位置から光ディスクに近接する方向に所定距離移動させた第二位置４Ｂと、さらに所定距離近接させた第三位置４Ｃと、に移動して、それぞれＦＥ信号を検知し、検知された三箇所におけるＦＥ信号のＳ字波形を計測し、計測された三つのＳ字波形の変化度合いを確認している。
【００４６】
また、計測された三つのＳ字波形が連続的に変化しているか否かを確認し、連続的に変化していることを確認したときに、コリメートレンズ４（可動レンズ）が正常に駆動されていると判定する構成としている。
【００４７】
ここで、光ディスクから離れた最遠位置にある第一位置４Ａは、例えば、ステッピングモータ１０を所定ステップ数駆動して後退復帰させた位置（原点位置に相当）であって、駆動領域の始点となる位置であり、例えば、ステッピングモータ１０のステップ数ＳＴ１が０stepに相当する位置である。また、例えば、駆動限界ステップ数を５９０stepに設定している。すなわち、ステッピングモータ１０は０stepから５９０stepまでを駆動領域としている。
【００４８】
第三位置４Ｃは、第一位置４Ａとこの第三位置４Ｃとの間に第一の焦点部位に対応した停止位置を有する位置であることが好ましく、例えば、コリメートレンズ４（可動レンズ）の第一の焦点部位に対応した所定の停止位置を挟む位置としている。このような構成であれば、コリメートレンズ４（可動レンズ）の第一の焦点部位に対応した所定の停止位置に対して後方に位置する第一位置４Ａと、所定の停止位置に対して前方に位置する第三位置４Ｃと、この中間の第二位置４ＢとでＦＥ信号を検知して三つのＳ字波形を計測するので、光束変更用レンズの移動に連れて連続的に変化するＳ字波形を確実に計測可能となって好ましい。
【００４９】
また、第二位置４Ｂは第一の焦点部位に相当する停止位置であることが好ましく、この構成であれば、予め定められる第一の焦点部位に対応した停止位置を第二位置４Ｂに設定し、ここを基準点として、この前後に第一位置４Ａと第三位置４Ｃを容易に設定可能となって好ましい。
【００５０】
また、第一位置４Ａと第二位置４Ｂとの離間距離、すなわち、第一位置４Ａから光ディスクに近接する方向に移動させる所定距離は、第一位置４Ａから第一の焦点部位に相当する停止位置までの距離となる。また、第三位置４Ｃは、同じ所定距離第二位置４Ｂから離れた位置であって、この第二位置４Ｂのステッピングモータ１０のステップ数ＳＴ２が１００stepのときに、第一位置４Ａのステップ数ＳＴ１が０stepであり、第三位置４Ｃのステップ数ＳＴ３が２００stepである。
【００５１】
上記した構成であれば、光ピックアップ装置１を駆動するステッピングモータ１０の駆動パルスを、第一位置４Ａから第二位置４Ｂに至るパルス数の２倍のパルス数の位置を第三位置４Ｃと規定して、ＦＥ信号を検知する三箇所の位置を容易に設定可能となる。
【００５２】
例えば、第一の焦点部位に相当する停止位置である第二位置４Ｂにおいて検知したＦＥ信号から計測されるＳ字波形ＦＳ２は図に示すように、＋領域と−領域とが均等なバランスのとれた波形であるが、第二位置より遠い位置にある第一位置４Ａにおいて計測されるＳ字波形ＦＳ１は、例えば、図に示すように、−領域が大きなバランスがくずれた波形を示し、第二位置より近い位置にある第三位置４Ｃにおいて計測されるＳ字波形ＦＳ３は、＋領域が大きなバランスがくずれた波形を示す。
【００５３】
また、コリメートレンズ４が正常に駆動されている状態では、計測されるＳ字波形ＦＳ１⇒ＦＳ２⇒ＦＳ３のように連続的に変化していることが判る。すなわち、コリメートレンズ４を光ディスクに近接させながらＦＥ信号を検知し、得られたＳ字波形の変化が連続的に変化していることを確認することで、コリメートレンズ４（可動レンズ）が正常に駆動していると判定することができる。
【００５４】
そのために、本実施形態に係る光ピックアップ装置の評価方法を用いることで、コリメートレンズ４（可動レンズ）の位置を確認するセンサ類を用いなくても、コリメートレンズ４（可動レンズ）が正常に動作しているか否かを判別可能で、当該レンズの評価を正当に行うことができる。また、本実施形態に係る光ピックアップ装置の評価方法を用いた製造方法であれば、コリメートレンズ４（可動レンズ）の位置を確認するセンサ類を用いない構成であっても、コリメートレンズ４（可動レンズ）が正常に動作しているか否かを判別して、正常と判定された製品だけを後工程に流し、不良品と判定された製品を後工程に流さないようにできる。
【００５５】
次に、このコリメートレンズ４が正常に駆動されているか否かを評価する操作手順について、図３に示すフローチャートを用いて説明する。
【００５６】
まず、ステップＳ１（ＣＯＬ原点復帰）では、コリメートレンズ（ＣＯＬ）を第一位置に復帰させる。次いで、ステップＳ２（ＣＯＬ原点：ＦＥ測定（ＦＥ１））で、第一位置でＦＥ信号を検知してＳ字波形ＦＥ１を計測する。次に、ステップＳ３（ＣＯＬ原点＋１００step：ＦＥ測定（ＦＥ２））で、第二位置でＦＥ信号を検知してＳ字波形ＦＥ２を計測する。次に、ステップＳ４（ＣＯＬ原点＋２００step：ＦＥ測定（ＦＥ３））で、第三位置でＦＥ信号を検知してＳ字波形ＦＥ３を計測する。
【００５７】
それから、ステップＳ５で、これらの計測された三つのＳ字波形が連続的に変化しているか否か（Ｓ字バランスが線形性を保って変化しているか否か）を確認して、連続的に変化していることが確認できた場合には、図中の矢印Ｙ方向に移行してステップ６（ＣＯＬ駆動ＯＫ）で、コリメートレンズは正常に駆動されていると判定する。また、ステップＳ５で、Ｓ字波形が連続的に変化していないことが確認された場合は、矢印Ｎ方向に移行してステップ７（ＣＯＬ駆動ＮＧ）で、コリメートレンズは正常に駆動されていないと判定する。
【００５８】
このように、本実施形態によれば、コリメートレンズを移動させて得られるＦＥ信号の変化（例えば、三つのＳ字波形の変化）から、コリメートレンズが正規に駆動されているか否かを判別するので、コリメートレンズの位置を確認するセンサ類を用いなくても、コリメートレンズが正常に動作していることを確認可能で、当該レンズの評価を正当に行うことができる。
【００５９】
また、本実施形態に係る評価方法は、コリメートレンズ以外の可動レンズにも適用可能であって、例えば、光軸方向に移動して球面収差を補正するエキスパンダーレンズが正常に駆動されているか否かを判別する方法に適用することもできる。
【００６０】
すなわち、本実施形態は、レーザーダイオードと対物レンズとの間の光路内に設ける可動レンズを光軸方向に移動させて球面収差を補正し、光ディスクにレーザー光を照射してデータの記録又は再生を行う光ピックアップ装置の評価方法である。
【００６１】
また、可動レンズを移動させて得られるＦＥ信号の変化から、このレンズが正規に駆動されているか否かを判別するので、可動レンズの位置を確認するセンサ類を用いなくても、可動レンズが正常に動作していることを確認可能で、当該レンズおよび当該レンズを備える光ピックアップ装置の評価を正当に行うことができる。
【００６２】
このように、三地点で計測するＳ字波形が連続的に変化しているか否かを確認するので、この三地点は、＋領域と−領域とが均等なバランスのとれたＳ字波形となる基準位置とこの前後の地点を含む三地点が好ましい。そのために、基準位置のステップ数が１００であれば、この地点の前後の±１００（２００step、１００step、０step）の地点を計測地点とする。また、±５０（１５０step、１００step、５０step）の地点で計測してもよく、可動レンズが正常に移動しているときに、計測されるＳ字波形が連続的に変化する三地点であればよい。
【００６３】
すなわち、本実施形態は、可動レンズを、光ディスクから離れた最遠位置に復帰させる復帰工程を介して移動させた第一位置と、この第一位置から光ディスクに近接する方向に所定距離移動させた第二位置と、さらに所定距離近接させた第三位置とで、それぞれＦＥ信号を検知し、検知されたＦＥ信号のＳ字波形の変化を計測し、計測されたＳ字波形が連続的に変化しているか否かを確認し、連続的に変化していることを確認したときに、可動レンズが正常に駆動されていると判定する。このような構成であれば、予め所定の第一位置に復帰させる復帰工程を備えているので、可動レンズの待機位置を確認することが不要となって、可動レンズの原点位置を確認する原点スイッチが不要となる。そのために、光ピックアップ装置のさらなる小型化や低コスト化を図ることが可能となる。また、光ディスクに近接させながらＦＥ信号を検知し、得られた三つのＳ字波形の変化が連続的に変化していることを確認して可動レンズが正常に駆動されていると判定するので、可動レンズの駆動を正しく判定可能な光ピックアップ装置の評価方法となって好ましい。
【００６４】
上記したように、本発明に係る光ピックアップ装置の評価方法によれば、原点スイッチなどのセンサ類を用いずに、光ピックアップ装置に具備する光束変更用の可動レンズが正常に駆動されているか否かを判別することが可能となり、当該レンズおよび当該レンズを備える光ピックアップ装置の評価を正当に行うことが可能となる。また、この評価方法を用いて光ピックアップ装置を製造すると、さらなる小型化や低コスト化を図ることが可能な光ピックアップ装置を作製可能となる。
【産業上の利用可能性】
【００６５】
そのために、本発明に係る光ピックアップ装置の評価方法は、さらなる小型化や低コスト化を図ることが求められる光ピックアップ装置に好適に適用することができる。
【符号の説明】
【００６６】
１    光ピックアップ装置
２    レーザーダイオード
４    コリメートレンズ（可動レンズ）
４Ａ  第一位置
４Ｂ  第二位置
４Ｃ  第三位置
７    対物レンズ
１０    ステッピングモータ
１１    球面収差補正機構
１４    制御部
ＦＳ１  Ｓ字波形（第一位置での）
ＦＳ２  Ｓ字波形（第二位置での）
ＦＳ３  Ｓ字波形（第三位置での）
【図１】
2012164394.tif 000003
【図２】
2012164394.tif 000004
【図３】
2012164394.tif 000005